【手続補正書】
【提出日】平成28年6月28日(2016.6.28)
【手続補正１】
【補正対象書類名】特許請求の範囲
【補正対象項目名】全文
【補正方法】変更
【補正の内容】
【特許請求の範囲】
【請求項１】
撮像手段と、
本情報処理装置の所有者として登録された人物を含む複数の人物を識別するための情報を、各人物の顔画像に関連付けて記憶する記憶手段と、
前記記憶手段に記憶された前記情報に基づいて、前記撮像手段により撮像された画像に含まれる複数の人物の顔画像を検出し、検出された顔画像のそれぞれに対応する人物を特定する特定手段と、
前記特定手段により特定された複数の人物に、前記所有者として登録された人物が含まれる場合、該特定された複数の人物のうち前記所有者として登録された人物を除いた１以上の人物の中から、本情報処理装置の通信相手を決定する決定手段と、を備えることを特徴とする、
情報処理装置。
【請求項２】
前記決定手段は、前記画像に含まれる前記所有者として登録された人物の顔画像と、前記所有者として登録された人物を除いた前記１以上の人物のそれぞれの顔画像との比較に基づいて、前記所有者として登録された人物を除いた前記１以上の人物の中から、本情報処理装置の通信相手を決定することを特徴とする、
請求項１に記載の情報処理装置。
【請求項３】
前記決定手段は、前記画像に含まれる前記所有者として登録された人物の顔画像と、前記所有者として登録された人物を除いた前記１以上の人物のそれぞれの顔画像との比較に基づいて、前記所有者として登録された人物の横に並んでいると推定される人物を、本情報処理装置の通信相手として決定することを特徴とする、
請求項２に記載の情報処理装置。
【請求項４】
前記記憶手段は、本情報処理装置の所有者として登録された人物を含む前記複数の人物のそれぞれが所有する通信機器の識別情報を、各人物の顔画像に関連付けて記憶しており、
前記決定手段は、前記特定手段により特定された前記複数の人物のうち前記所有者として登録された人物を除いた前記１以上の人物の中から、本情報処理装置の通信相手となる通信機器を所有する人物を決定することを特徴とする、
請求項１乃至３のいずれか１項に記載の情報処理装置。
【請求項５】
前記特定手段により特定された前記複数の人物の顔画像に基づいて、前記撮像手段から該複数の人物のおのおのまでの距離を取得する距離データ取得手段を備えており、
前記決定手段は、前記特定手段により特定された前記複数の人物のうち前記所有者として登録された人物を除いた前記１以上の人物の中で、前記撮像手段から該人物までの距離と、前記撮像手段から前記所有者として登録された人物までの距離との差が所定値以内の人物を前記通信相手として決定することを特徴とする、
請求項４記載の情報処理装置。
【請求項６】
前記距離データ取得手段は、前記特定手段により特定された前記複数の人物の各々の顔画像の面積を、前記距離を表す距離データとして取得し、
前記決定手段は、前記所有者として登録された人物の前記顔画像の面積との差が所定値以内の顔画像の面積を有する人物を前記通信相手として決定することを特徴とする、
請求項５記載の情報処理装置。
【請求項７】
前記距離データ取得手段は、前記特定手段により特定された前記複数の人物の各々の顔画像の照度を、前記距離を表す距離データとして取得し、
前記決定手段は、前記所有者として登録された人物の前記顔画像の照度との差が所定値以内の顔画像の照度を有する人物を前記通信相手として決定することを特徴とする、
請求項５記載の情報処理装置。
【請求項８】
前記距離データ取得手段は、前記特定手段により特定された前記複数の人物の顔画像及び身体画像の重なりを検出し、この重なりに応じて前記距離データを補正することを特徴とする、
請求項６または７記載の情報処理装置。
【請求項９】
前記決定手段は、前記特定手段により特定された前記複数の人物の各人物の顔画像の向きを数値化して取得し、前記所有者として登録された人物の顔画像の向きの値との差が所定値以内の向きの値を有する顔画像の人物を前記通信相手として決定することを特徴とする、
請求項３に記載の情報処理装置。
【請求項１０】
前記特定手段は、現在処理中の最新画像に前記所有者として登録された人物の顔画像の一部が写る場合に、過去に取得した前記画像のうち、前記所有者として登録された人物の顔画像が写っている画像により前記所有者として登録された人物の顔画像を追尾検出する、
請求項１乃至９のいずれか１項に記載の情報処理装置。
【請求項１１】
現在処理中の最新画像で前記特定手段が特定した前記複数の人物に前記所有者として登録された人物が含まれていない場合、過去に取得した前記所有者として登録された人物が含まれる画像を、前記最新画像に合成して合成画像を生成する合成手段を備え、
前記決定手段は、前記合成画像に基づいて、前記通信相手を決定することを特徴とする、
請求項１乃至１０のいずれか１項に記載の情報処理装置。
【請求項１２】
前記撮像手段は、前記情報処理装置が有する表示画面を閲覧しようとする人物の顔を撮影可能な位置及び方向に設置されたインカメラであることを特徴とする、
請求項１乃至１１のいずれか１項に記載の情報処理装置。
【請求項１３】
前記インカメラによって撮像された画像は、前記決定手段によって前記通信相手が決定される処理の間、前記情報処理装置が有する表示部には表示されないことを特徴とする、
請求項１２に記載の情報処理装置。
【請求項１４】
撮像手段を備えた情報処理装置により実行される方法であって、
前記情報処理装置の所有者として登録された人物を含む複数の人物を識別するための情報を、各人物の顔画像に関連付けて所定の記憶手段に記憶しておき、
前記記憶手段に記憶された前記情報に基づいて、前記撮像手段により撮像された画像に含まれる複数の人物の顔画像を検出し、検出された顔画像のそれぞれに対応する人物を特定し、
特定した複数の人物に、前記所有者として登録された人物が含まれる場合、該特定された複数の人物のうち前記所有者として登録された人物を除いた１以上の人物の中から、前記情報処理装置の通信相手を決定することを特徴とする、
通信相手の決定方法。
【請求項１５】
撮像手段を備えたコンピュータを、
本情報処理装置の所有者として登録された人物を含む複数の人物を識別するための情報を、各人物の顔画像に関連付けて記憶する記憶手段、
前記記憶手段に記憶された前記情報に基づいて、前記撮像手段により撮像された画像に含まれる複数の人物の顔画像を検出し、検出された顔画像のそれぞれに対応する人物を特定する特定手段、
前記特定手段により特定された複数の人物に、前記所有者として登録された人物が含まれる場合、該特定された複数の人物のうち前記所有者として登録された人物を除いた１以上の人物の中から、本情報処理装置の通信相手を決定する決定手段、
として機能させるためのコンピュータプログラム。
【手続補正２】
【補正対象書類名】明細書
【補正対象項目名】０００７
【補正方法】変更
【補正の内容】
【０００７】
上記課題を解決する本発明の情報処理装置は、本情報処理装置の所有者として登録された人物を含む複数の人物を識別するための情報を、各人物の顔画像に関連付けて記憶する記憶手段と、前記記憶手段に記憶された前記情報に基づいて、前記撮像手段により撮像された画像に含まれる複数の人物の顔画像を検出し、検出された顔画像のそれぞれに対応する人物を特定する特定手段と、前記特定手段により特定された複数の人物に、前記所有者として登録された人物が含まれる場合、該特定された複数の人物のうち前記所有者として登録された人物を除いた１以上の人物の中から、本情報処理装置の通信相手を決定する決定手段と、を備えることを特徴とする。